(57)【要約】【課題】使用者が意識することなく、複数の挿入口のうち、一方の挿入口にのみ接続部材を挿入できるようにする。【解決手段】第一挿入口３０Ａを開放し第二挿入口３０Ｂを塞ぐ第一位置と、第二挿入口３０Ｂを開放し第一挿入口３０Ａを塞ぐ第二位置と、を移動可能な移動部材（スライドレバー４０）と、移動部材を第一位置へ付勢する付勢部材（バネ５４）と、を有する。【選択図】図４
2017215905.tif 000002
【特許請求の範囲】
【請求項１】
第一挿入口及び第二挿入口を備える筐体と、
前記第一挿入口を開放し前記第二挿入口を塞ぐ第一位置と、前記第二挿入口を開放し前記第一挿入口を塞ぐ第二位置と、を移動可能な移動部材と、
前記移動部材を、前記第一位置へ付勢する付勢部材と、
を有する電子機器。
【請求項２】
前記移動部材に、前記第二挿入口へ挿入される接続部材から受けた力を前記第二位置へ移動させる力に変換する傾斜面が形成されている請求項１に記載の電子機器。
【請求項３】
前記第一挿入口に挿入された接続部材と通電可能な第一通電部材と、
前記第二挿入口に挿入された接続部材と通電可能な第二通電部材と、
を有する請求項１又は請求項２に記載の電子機器。
【請求項４】
前記移動部材が前記第一位置にあるときは前記第一通電部材を通電状態、前記第二通電部材を非通電状態とし、
前記移動部材が前記第二位置にあるときは前記第二通電部材を通電状態、前記第一通電部材を非通電状態とする切替を行う切替部材を有する請求項３に記載の電子機器。
【発明の詳細な説明】
【技術分野】
【０００１】
本願の開示する技術は電子機器に関する。
【背景技術】
【０００２】
形状の異なる複数種類のプラグを選択的に挿入可能な通信コネクタを備える電子機器であって、通信コネクタに挿入されたプラグの種別を判別手段で判別し、判別したプラグの種類を報知手段で報知する電子機器がある。
【先行技術文献】
【特許文献】
【０００３】
【特許文献１】特開２００８−１５２５８３号公報
【発明の概要】
【発明が解決しようとする課題】
【０００４】
プラグ等の接続部材が挿入される複数の挿入口を有する電子機器では、特定の挿入口に接続部材が挿入された状態で、他の挿入口には接続部材が挿入されないようにすることが望まれることがある。たとえば、接続部材を挿入できる挿入口を電子機器の使用者が操作により切り替える構造を採れば、特定の挿入口に接続部材が挿入された状態で、他の挿入口には接続部材が挿入されない構造を実現できる。しかし、このような構造では、使用者が挿入口の切替を意識する必要がある。
【０００５】
本願の開示技術は、１つの側面として、使用者が意識することなく、複数の挿入口のうち、一方の挿入口にのみ接続部材を挿入できるようにすることが目的である。
【課題を解決するための手段】
【０００６】
本願の開示する技術では、第一挿入口を開放し第二挿入口を塞ぐ第一位置と、第二挿入口を開放し第一挿入口を塞ぐ第二位置と、を移動可能な移動部材と、移動部材を第一位置へ付勢する付勢部材と、を有する。
【発明の効果】
【０００７】
本願の開示する技術では、使用者が意識することなく、複数の挿入口のうち、一方の挿入口にのみ接続部材を挿入できる。
【図面の簡単な説明】
【０００８】
【図１】図１は第一実施形態のタブレット型端末を示す斜視図である。
【図２】図２は第一実施形態のタブレット型端末を示す背面図である。
【図３】図３は第一実施形態のタブレット型端末のスライドレバーを示す斜視図である。
【図４】図４は第一実施形態のタブレット型端末を示す図２の４−４線断面図である。
【図５】図５は第一実施形態のタブレット型端末を図４と同様の断面位置で示す断面図である。
【図６】図６は第一実施形態のタブレット型端末を図４と同様の断面位置で示す断面図である。
【図７】図７は第一実施形態のタブレット型端末を部分的に拡大して示す斜視図である。
【図８】図８は第一実施形態のタブレット型端末を図４と同様の断面位置で示す断面図である。
【図９】図９は第一実施形態のタブレット型端末を図４と同様の断面位置で示す断面図である。
【図１０】図１０は第一実施形態のタブレット型端末を部分的に拡大して示す斜視図である。
【図１１】図１１は第二実施形態のタブレット型端末を第一実施形態の図４と同様の断面位置で示す断面図である。
【図１２】図１２は第三実施形態のタブレット型端末を第一実施形態の図４と同様の断面位置で示す断面図である。
【発明を実施するための形態】
【０００９】
第一実施形態の電子機器について、図面に基づいて詳細に説明する。図１及び図２に示すように、電子機器として、タブレット型端末２２を例示する。電子機器はタブレット型端末に限定されず、たとえば、コンピュータの本体や、各種の周辺機器、スマートフォン、携帯電話機等を挙げることができる。
【００１０】
タブレット型端末２２は、背面側から（図１の矢印Ａ１方向に）見て略長方形状の筐体２４を有する。図面において、タブレット型端末２２の高さ方向、幅方向及び厚み方向を、それぞれ矢印Ｈ、矢印Ｗ及び矢印Ｄで示す。ただし、これらの方向は、説明の便宜のためであり、実際にタブレット型端末２２を使用する際の向きは限定されない。
【００１１】
筐体２４の正面側には、ディスプレイ２６を有する。図４に示すように、筐体２４の内部（筐体２４とディスプレイ２６の間）は、タブレット型端末２２の各種の基板や部品が収容される収容空間２８である。
【００１２】
筐体２４には、第一挿入口３０Ａと、この第一挿入口３０Ａよりも大きい第二挿入口３０Ｂが形成されている。これらの挿入口は、Ｕｎｉｖｅｒｓａｌ  Ｓｅｒｉａｌ  Ｂｕｓ（ＵＳＢ）のプラグを挿入し、後述する通電部材（第一通電部材３４Ａ又は第二通電部材３４Ｂ）と通電させるための挿入口である。
【００１３】
本実施形態では、第一挿入口３０Ａには、図５に示すように、マイクロＵＳＢプラグ３６Ａが挿入される。これに対し、第二挿入口３０Ｂには、図６に示すように、標準ＵＳＢプラグ３６Ｂが挿入される。すなわち、第一挿入口３０Ａは相対的に小型の挿入口であり、第二挿入口３０Ｂは相対的に大型の挿入口である。
【００１４】
図１、図２及び図４に示す例では、第一挿入口３０Ａと第二挿入口３０Ｂとは、幅方向（矢印Ｗ方向）に並べて、且つ間隔を開けて筐体２４の背面に形成されている。ただし、第一挿入口３０Ａと第二挿入口３０Ｂとは、たとえば高さ方向（矢印Ｈ方向）に並べて配置されていてもよいし、斜め方向（矢印Ｗ方向と矢印Ｈ方向を合成した方向）に並べて配置されていてもよい。また、第一挿入口３０Ａと第二挿入口３０Ｂのいずれか一方若しくは両方が、筐体２４の側面、上面又は下面に形成されていてもよい。
【００１５】
収容空間２８には、基板３２が配置されている。基板３２には、第一通電部材３４Ａ及び第二通電部材３４Ｂが実装されている。
【００１６】
第一通電部材３４Ａは、図５に示すように、第一挿入口３０Ａから挿入されたマイクロＵＳＢプラグ３６Ａが電気的に接続される部材である。第一通電部材３４Ａには、マイクロＵＳＢプラグ３６Ａを検出するための電流が基板３２から流れる。
【００１７】
第二通電部材３４Ｂは、図６に示すように、第二挿入口３０Ｂから挿入された標準ＵＳＢプラグ３６Ｂが電気的に接続される部材である。第二通電部材３４Ｂには、標準ＵＳＢプラグを検出するための電流が基板３２から流れる。
【００１８】
筐体２４には、図１及び図２に示すように、第一挿入口３０Ａと第二挿入口３０Ｂとの間に、収容孔３８が形成されている。収容孔３８は、幅方向（矢印Ｗ方向）が長手方向となる長孔であり、第一挿入口３０Ａ及び第二挿入口３０Ｂと連続している。
【００１９】
第一挿入口３０Ａと第二挿入口３０Ｂの間には、スライドレバー４０が配置されている。図３に示すように、スライドレバー４０は、長方形の板状のベース部４２と、このベース部４２から背面側（矢印Ａ１の反対側）に突出する突起部４４とを有している。図４に示すように、ベース部４２の幅Ｗ１は、第一挿入口３０Ａと第二挿入口３０Ｂの幅方向内側での距離Ｌ１よりもわずかに長い。
【００２０】
図４にも示すように、ベース部４２は、収容孔３８に収容されており、幅方向（矢印Ｗ方向）にスライドする。そして、このスライドにより、スライドレバー４０は、第一挿入口３０Ａと第二挿入口３０Ｂにいずれか一方を部分的に塞ぐ。たとえば、図４及び図５に示すように、第一位置ＰＡにある状態では、スライドレバー４０は第一挿入口３０Ａを開放し、第二挿入口３０Ｂを部分的に塞ぐ。これに対し、図６に示すように、第二位置ＰＢにある状態では、スライドレバー４０は第二挿入口３０Ｂを開放し、第一挿入口３０Ａを部分的に塞ぐ。
【００２１】
なお、この「塞ぐ」には、挿入口を完全に塞ぐ場合だけでなく、挿入口に対応するＵＳＢプラグを挿入しても、筐体２４内の通電部材に接続できるまで深くは挿入できないようにする場合を含む。たとえば、いずれかの挿入口の一部分のみを塞いでいても、この挿入口に対し、対応するＵＳＢプラグを挿入できない場合は、「塞ぐ」に該当する。より具体的には、図４及び図５に示す第一位置ＰＡにおいて、スライドレバー４０は第二挿入口３０Ｂの全体は塞いでいない。しかし、挿入途中で標準ＵＳＢプラグ３６Ｂの一部がスライドレバー４０にあたることで挿入が制限され、標準ＵＳＢプラグ３６Ｂは第二通電部材には接続されない。このような状態も、スライドレバー４０が第二挿入口３０Ｂを「塞ぐ」状態である。
【００２２】
スライドレバー４０の突起部４４には傾斜面４６が形成されている。傾斜面４６は、図８に示すように、スライドレバー４０が第一位置ＰＡにある状態で、第二挿入口３０Ｂへの挿入途中の標準ＵＳＢプラグ３６Ｂが接触する位置に形成されている。また、傾斜面４６は、筐体２４の前面側から背面側向かって、第一挿入口３０Ａ側へ傾斜している。したがって、標準ＵＳＢプラグ３６Ｂが傾斜面４６に当たった状態で、さらに第二挿入口３０Ｂへ（前面側へ）移動されると、標準ＵＳＢプラグ３６Ｂから受けた力を、スライドレバー４０が第二位置ＰＢへ向かう方向（図８の矢印Ｆ１方向）へ変換する。
【００２３】
図４に示すように、基板３２には、スイッチ５０が取り付けられている。スイッチ５０には、背面側に突出し、幅方向にスライドする操作片５２が設けられている。操作片５２は、スライドレバー４０に連結されており、スライドレバー４０と一体で幅方向（矢印Ｗ方向）にスライドする。
【００２４】
図４及び図５に示すように、スライドレバー４０が第一位置ＰＡにあるとき、操作片５２は第二挿入口３０Ｂに近い位置にある。この状態では、スイッチ５０は、第一通電部材３４Ａを通電状態とし、第二通電部材３４Ｂを非通電状態とする。この状態を、以下では第一通電状態という。
【００２５】
これに対し、図６に示すように、スライドレバー４０が第二位置ＰＢにあるとき、操作片５２は第一挿入口３０Ａに近い位置にある。この状態では、スイッチ５０は、第二通電部材３４Ｂを通電状態とし、第一通電部材３４Ａを非通電状態とする。この状態を、以下では第二通電状態という。
【００２６】
スイッチ５０には、バネ５４が備えられている。バネ５４は、操作片５２を、矢印Ｆ２方向、すなわち第二挿入口３０Ｂ側へ付勢している。スライドレバー４０にもこのバネ５４の力が作用するので、スライドレバー４０も、バネ５４以外から力を受けていない状態では、第一位置ＰＡにある。
【００２７】
次に、第一実施形態の作用を説明する。
【００２８】
第一実施形態のタブレット型端末２２では、「通常使用」と「保守使用」の２つの使用状態がある。「通常使用」では、図５に示すように、第一挿入口３０Ａから挿入されたマイクロＵＳＢプラグ３６Ａが第一通電部材３４Ａに接続されて、タブレット型端末２２が使用される。「保守使用」では、図６に示すように、第二挿入口３０Ｂから挿入された標準ＵＳＢプラグ３６Ｂが第二通電部材３４Ｂに接続されて、タブレット型端末２２が使用される。
【００２９】
図４に示すように、第一挿入口３０ＡにマイクロＵＳＢプラグ３６Ａが挿入されておらず、第二挿入口３０Ｂに標準ＵＳＢプラグ３６Ｂが挿入されていない状態では、スライドレバー４０はバネ５４の付勢力により、第一位置ＰＡにある。この状態では、第一挿入口３０Ａは、スライドレバー４０によって塞がれず、開放されている。これに対し、第二挿入口３０Ｂは、スライドレバー４０によって部分的に塞がれている。具体的には、上記したように、第二挿入口３０Ｂ自体は塞がれていないが、挿入途中の標準ＵＳＢプラグ３６Ｂの一部が突起部４４にあたる。
【００３０】
通常使用時には、図５に示すように、タブレット型端末２２の使用者は、マイクロＵＳＢプラグ３６Ａを第一挿入口３０Ａに挿入し、第一通電部材３４Ａに接続できる。
【００３１】
このとき、スイッチ５０は第一通電状態にあるので、タブレット型端末２２は、第一通電部材３４Ａへ通電されており、マイクロＵＳＢプラグ３６Ａを検出できる。また、タブレット型端末２２は、マイクロＵＳＢプラグ３６Ａを経由して、外部の機器とのデータの授受や、外部からの電力供給が可能である。第二通電部材３４Ｂは通電されていない状態にあるので、不必要な電力を消費しない。
【００３２】
第一挿入口３０ＡにマイクロＵＳＢプラグ３６Ａが挿入された状態では、第二挿入口３０Ｂの一部分がスライドレバー４０で塞がれる。そして、スライドレバー４０が第二位置ＰＢへ（矢印Ｗ２方向に）移動しようとしても、マイクロＵＳＢプラグ３６Ａに当たって、この移動が阻止される。
【００３３】
このように、第一挿入口３０ＡにマイクロＵＳＢプラグ３６Ａが挿入されると、スライドレバー４０は第二挿入口３０Ｂを塞いだ状態を維持する。この状態で、図９及び図１０に示すように、第二挿入口３０Ｂに標準ＵＳＢプラグ３６Ｂを挿入しようとしても、挿入途中で標準ＵＳＢプラグ３６Ｂの一部が傾斜面４６に当たり、途中からは標準ＵＳＢプラグ３６Ｂを挿入できない。標準ＵＳＢプラグ３６Ｂを第二通電部材３４Ｂに接続することもできない。すなわち、マイクロＵＳＢプラグ３６Ａと標準ＵＳＢプラグ３６Ｂとの同時接続はできない。
【００３４】
保守使用時には、第一挿入口３０ＡにマイクロＵＳＢプラグ３６Ａが挿入されていない状態で、保守作業者が、第二挿入口３０Ｂに標準ＵＳＢプラグ３６Ｂを挿入する。標準ＵＳＢプラグ３６Ｂはバネ５４の力により第一位置ＰＡに維持されているので、挿入途中で、図８に示すように、標準ＵＳＢプラグ３６Ｂの一部がスライドレバー４０の傾斜面４６に当たる。さらに標準ＵＳＢプラグ３６Ｂを挿入すると、スライドレバー４０に矢印Ｆ１方向の力が作用し、スライドレバー４０はバネ５４の力に抗して第二位置ＰＢへスライドする。これにより、第二挿入口３０Ｂが開放されるので、図６及び図７に示すように、標準ＵＳＢプラグ３６Ｂをさらに挿入し、第二通電部材３４Ｂに接続できる。
【００３５】
このとき、スイッチ５０は第二通電状態にあるので、第二通電部材３４Ｂに通電され、タブレット型端末２２は、標準ＵＳＢプラグ３６Ｂを検出できる。また、タブレット型端末２２は、標準ＵＳＢプラグ３６Ｂを経由して、外部の機器とのデータの授受や、外部からの電力供給が可能である。第一通電部材３４Ａは非通電状態にあるので、不必要な電力を消費しない。
【００３６】
第二挿入口３０Ｂに標準ＵＳＢプラグ３６Ｂが挿入されると、スライドレバー４０は第二位置ＰＢとなり、第一挿入口３０Ａがスライドレバー４０で塞がれる。そして、スライドレバー４０が第一位置ＰＡへ（矢印Ｗ１方向に）移動しようとしても、標準ＵＳＢプラグ３６Ｂに当たって、この移動が阻止される。スライドレバー４０は第一挿入口３０Ａを塞いでいるので、第一挿入口３０ＡにマイクロＵＳＢプラグ３６Ａを挿入できない。すなわち、この場合でも、マイクロＵＳＢプラグ３６Ａと標準ＵＳＢプラグ３６Ｂとの同時挿入はできない。
【００３７】
第二挿入口３０Ｂから標準ＵＳＢプラグ３６Ｂを抜くと、バネ５４の力を受けて、スライドレバー４０が第一位置ＰＡに移動する。すなわち、スライドレバー４０を第一位置ＰＡにスライドさせるために、使用者が操作を行う必要がない。
【００３８】
このように、本実施形態のタブレット型端末２２では、使用者は、第一挿入口３０Ａと第二挿入口３０Ｂとを切り替える操作を行うことなく、第一挿入口３０Ａと第二挿入口３０Ｂとのいずれか一方に対し、対応する接続部材（ＵＳＢプラグ）を選択的に挿入して接続できる。すなわち、使用者が意識することなく、接続部材を挿入する挿入口をいずれか一方に切り替えできる。
【００３９】
第一実施形態のタブレット型端末２２は第一通電部材３４Ａを有する。したがって、第一挿入口３０Ａに挿入された接続部材（上記の例ではマイクロＵＳＢプラグ）と通電することが可能である。同様に、タブレット型端末２２は第二通電部材３４Ｂを有する。したがって、第二挿入口３０Ｂに挿入された接続部材（上記の例では標準ＵＳＢプラグ）と通電することが可能である。
【００４０】
スイッチ５０は、スライドレバー４０が第一位置ＰＡにあるときには、第一通電部材３４Ａを通電状態とし、第二通電部材３４Ｂを非通電状態とする。これとは逆に、スイッチ５０は、スライドレバー４０が第二位置ＰＢにあるときには、第二通電部材３４Ｂを通電状態とし、第一通電部材３４Ａを非通電状態とする。すなわち、接続部材が接続される通電部材は通電状態とし、接続部材が接続されない通電部材は非通電状態とするので、不必要な電力消費を抑制できる。また、同時挿入を考慮した保護回路も不要である。
【００４１】
スイッチ５０は、操作片５２を有する。操作片５２により、スイッチ５０がスライドレバー４０に連結されるので、スライドレバー４０のスライドに連動させて、スイッチ５０による連通状態の切替を行わせることができる。
【００４２】
バネ５４は、スイッチ５０に設けられている。バネ５４をスイッチ５０とは別体で設けてもよいが、スイッチに設けることで、部品点数を少なく出来る。また、筐体２４にバネを組み付ける必要がなく、組付作業が容易である。
【００４３】
次に、第二実施形態について説明する。第二実施形態において、第一実施形態と同様の要素、部材等については同一符号を付して、詳細な説明を省略する。また、電子機器の全体的な形状や構造は、第一実施形態を同様であるので、図示を省略する。
【００４４】
第二実施形態のタブレット型端末７２では、図１１に示すように、スライドレバー４０と筐体２４の間に、バネ７４が配置される。第二実施形態のバネ７４は、第一実施形態のバネ５４（図４等参照）と同様に、スライドレバー４０を、第一位置ＰＡへ付勢している。
【００４５】
第二実施形態では、このように、スライドレバー４０と筐体２４の間にバネ７４が設けられるので、スイッチ７６としては、第一実施形態のバネ５４が不要である。すなわち、スイッチ７６の構造を簡素化できる。
【００４６】
次に、第三実施形態について説明する。第二実施形態において、第一実施形態又はダニ時実施形態と同様の要素、部材等については同一符号を付して、詳細な説明を省略する。また、電子機器の全体的な形状や構造は、第一実施形態を同様であるので、図示を省略する。
【００４７】
第三実施形態のタブレット型端末８２では、第二実施形態のタブレット型端末７２と同様に、スライドレバー４０と筐体２４の間に、バネ８４が配置される。
【００４８】
そして、第三実施形態では、スイッチ７６（第一実施形態の図４等参照）が省略されている。このように、スイッチを有さない構造であっても、使用者は、意識することなく、接続部材を挿入する挿入口を、第一挿入口３０Ａと第二挿入口３０Ｂとのいずれか一方に切り替えできる。
【００４９】
上記各実施形態では、第一挿入口３０Ａと第二挿入口３０Ｂとが、筐体２４の背面２４Ｈに並べて配置されている。第一通電部材３４Ａ及び第二通電部材３４Ｂも並べて配置でき、基板３２の小型化に寄与できる。
【００５０】
各実施形態において、スライドレバー４０は、移動部材の一例である。移動部材としては、スライドレバー４０の他にも、たとえば筐体２４に対し回転可能に取り付けられ、回転位置（角度）によって、第一位置と第二位置とを採りうる構造でもよい。移動部材として、スライドレバー４０のようにスライドする部材を用いると、移動部材を回転可能に支持する軸等が不要であり、構造の簡素化を図ることができる。
【００５１】
移動部材として、スライドレバー４０（スライドする部材）を用いた構造では、収容孔３８を筐体２４に形成することで、移動部材を安定的にスライド方向に案内することが可能である。
【００５２】
各実施形態において、第一挿入口３０Ａは、相対的に小型の接続部材（マイクロＵＳＢプラグ３６Ａ）が挿入される小型挿入口の例であり、第二挿入口３０Ｂは、相対的に大型の接続部材（標準ＵＳＢプラグ）が挿入される大型挿入口の例である。ただし、第一挿入口と第二挿入口とが同じ大きさであってもよい。小型挿入口と大型挿入口とを備えた構造では、接続部材の種類に応じて挿入口を使い分けることができる。すなわち、電子機器として各種の外部の機器に接続でき、接続できる外部の機器の制限が少ない。
【００５３】
以上、本願の開示する技術の実施形態について説明したが、本願の開示する技術は、上記に限定されるものでなく、上記以外にも、その主旨を逸脱しない範囲内において種々変形して実施可能であることは勿論である。
【００５４】
本明細書は、以上の実施形態に関し、さらに以下の付記を開示する。
（付記１）
第一挿入口及び第二挿入口を備える筐体と、
前記第一挿入口を開放し前記第二挿入口を塞ぐ第一位置と、前記第二挿入口を開放し前記第一挿入口を塞ぐ第二位置と、を移動可能な移動部材と、
前記移動部材を、前記第一位置へ付勢する付勢部材と、
を有する電子機器。
（付記２）
前記移動部材に、前記第二挿入口へ挿入される接続部材から受けた力を前記第二位置へ移動させる力に変換する傾斜面が形成されている付記１に記載の電子機器。
（付記３）
前記第一挿入口に挿入された接続部材と通電可能な第一通電部材と、
前記第二挿入口に挿入された接続部材と通電可能な第二通電部材と、
を有する付記１又は付記２に記載の電子機器。
（付記４）
前記移動部材が前記第一位置にあるときは前記第一通電部材を通電状態、前記第二通電部材を非通電状態とし、
前記移動部材が前記第二位置にあるときは前記第二通電部材を通電状態、前記第一通電部材を非通電状態とする切替を行う切替部材を有する付記３に記載の電子機器。
（付記５）
前記切替部材が、前記移動部材に連結され前記移動部材と共に移動して前記切替を行う連結部材を有する付記４に記載の電子機器。
（付記６）
前記付勢部材が、前記切替部材に設けられている付記５に記載の電子機器。
（付記７）
前記第一挿入口と前記第二挿入口とが前記筐体の１つの面に並べて配置される付記１〜付記６のいずれか１つに記載の電子機器。
（付記８）
前記移動部材が前記第一位置と前記第二位置との間をスライドする付記１〜付記７のいずれか１つに記載の電子機器。
（付記９）
前記筐体に、前記移動部材をスライド可能に収容する収容孔が形成される付記８に記載の電子機器。
（付記１０）
前記第一挿入口が、相対的に小型の接続部材が挿入される小型挿入口であり、前記第二挿入口が、相対的に大型の接続部材が挿入される大型挿入口である付記１〜付記９のいずれか１つに記載の電子機器。
【符号の説明】
【００５５】
２２  タブレット型端末（電子機器の一例）
２４  筐体
３０Ａ      第一挿入口
３０Ｂ      第二挿入口
３４Ａ      第一通電部材
３４Ｂ      第二通電部材
３６Ａ      マイクロＵＳＢプラグ（接続部材の一例）
３６Ｂ      標準ＵＳＢプラグ（接続部材の一例）
３８  収容孔
４０  スライドレバー
４６  傾斜面
５０  スイッチ（切替部材の一例）
５４  バネ（付勢部材の一例）
７２  タブレット型端末（電子機器の一例）
７４  バネ（付勢部材の一例）
７６  スイッチ（切替部材の一例）
８２  タブレット型端末（電子機器の一例）
８４  バネ（付勢部材の一例）
【図１】
2017215905.tif 000003
【図２】
2017215905.tif 000004
【図３】
2017215905.tif 000005
【図４】
2017215905.tif 000006
【図５】
2017215905.tif 000007
【図６】
2017215905.tif 000008
【図７】
2017215905.tif 000009
【図８】
2017215905.tif 000010
【図９】
2017215905.tif 000011
【図１０】
2017215905.tif 000012
【図１１】
2017215905.tif 000013
【図１２】
2017215905.tif 000014